(57)【要約】【課題】１つの容器で噴霧式と塗布式の両方の使い方が可能な化粧液用携帯容器を提供すること。【解決手段】化粧液を収納する両端開放の筒状本体１０の一方端を押圧動作によって化粧液を噴霧する機能を有する噴霧機構部２０で封鎖し、筒状本体１０の他方端を外部に露出した全方向に回動可能なボール３２を介し化粧液を塗布する機能を有する塗布機構部３０で封鎖し、塗布機構部３０が筒状本体１０に対して着脱自在となっている化粧液用携帯容器。【選択図】図１
2019024804.tif 000002
【特許請求の範囲】
【請求項１】
化粧液を収納する両端開放の筒状本体の一方端を押圧動作によって化粧液を噴霧する機能を有する噴霧機構部で封鎖し、筒状本体の他方端を外部に露出した全方向に回動可能なボールを介し化粧液を塗布する機能を有する塗布機構部で封鎖し、塗布機構部が筒状本体に対して着脱自在となっていることを特徴とする化粧液用携帯容器。
【請求項２】
上記塗布機構部に、上記筒状本体からの化粧液の通過を許容する仕切板が設けられ、上記仕切板と上記ボールの間には、化粧液を内部に含浸させて保持可能な液体保持体と、上記ボールを外側に押圧するバネが設けられていることを特徴とする請求項１に記載の化粧液用携帯容器。
【請求項３】
上記塗布機構部は、上記筒状本体と接続され筒状本体と略同径の大径部と、上記ボールより若干大きな径で先端開口部からボールの一部表面を露出させた小径部とが設けられ、これら塗布機構部を覆う着脱自在のキャップを有し、
上記小径部には上記バネと上記液体保持体が収納され、
上記キャップには、内部に小径部を覆う一方開放の筒状体を有しており、キャップによる閉鎖時に、小径部と筒状体とに設けられた係合部により係合固定されることを特徴とする請求項２に記載の化粧液用携帯容器。
【発明の詳細な説明】
【技術分野】
【０００１】
この発明は、香水等の液体化粧品の携帯容器であって、香水等の液体化粧品を噴霧したり肌に直接塗布したりできる携帯容器に関する。
【背景技術】
【０００２】
香水等の液体化粧品や保湿液等の液体（以下、単に化粧液という）を外出先で手軽に使用するために、内部に化粧液を入れて持ち歩ける小型化した携帯ボトルがあり、更に、使用の際の利便性のために、スプレーによる噴霧装置を取り付けたものがある（例えば、特許文献１、特許文献２参照）
【０００３】
これら噴霧装置付き携帯容器は、頭部の押圧部を押し込むことでその押し込み力を利用して収納した化粧液を噴霧するもので、まず１回目に押圧部を押し込み、押圧部が戻る際にスポイトの原理より化粧液を引き上げ、２度目の押圧部の押圧で引き上げた化粧液をスプレー孔から噴霧するようにしたものであり、噴霧のためにガスボンベ等を使用せず、簡易かつ小型軽量化が可能で持ち運びの利便性がある。
【０００４】
また、上記噴霧方式では、狙った位置への噴霧以外にも化粧液が空中に散布されるので、香水等では使用したことが周囲に判ってしまったり、化粧液に無駄が発生し、更に場所によっては香水の散布がためらわれる場合もある。そこで、噴霧によらず全方向に自由回転するボールにより直接香水等の化粧液を肌に塗布するようにしたものもある（例えば、特許文献３、特許文献４参照）。
【０００５】
上記塗布タイプのものは、フェルト等の多孔質体に化粧液を浸し、内側でフェルト等と接触し反対側で外部に露出するボールを肌に押し当てて転がすことにより直接化粧液を肌に塗布するようにしたものである。
【先行技術文献】
【特許文献】
【０００６】
【特許文献１】特許第４０７０５１２号公報
【特許文献２】実用新案登録第３０９８３９５号公報
【特許文献３】実開平５−３５００８号公報
【特許文献４】実用新案登録第３０１０１１７号公報
【発明の概要】
【発明が解決しようとする課題】
【０００７】
しかしながら、上記の特許文献１乃至４に記載した噴霧式や塗布式の携帯容器は、それぞれは携帯性に優れるが、時と場所によって噴霧による使用が便利な場合と、塗布による使用が便利な場合とがあり、使い分けるためには両者の容器を持ち歩かなくてはならず、その場合２種類の容器必要になるという携帯上の問題があった。
【０００８】
また、同じ化粧液であっても２種類の容器それぞれに入れる作業が必要となり、手間がかかるという問題もあった。
【０００９】
そこで、この発明は上記のような課題を解決し、１つの容器で噴霧式と塗布式の両方の使い方が可能な化粧液用携帯容器を提供することを目的とする。
【課題を解決するための手段】
【００１０】
上記の課題を解決するため、請求項１の発明は、化粧液を収納する両端開放の筒状本体の一方端を押圧動作によって化粧液を噴霧する機能を有する噴霧機構部で封鎖し、筒状本体の他方端を外部に露出した全方向に回動可能なボールを介し化粧液を塗布する機能を有する塗布機構部で封鎖し、噴霧機構部が筒状本体に対して着脱自在となっていることを特徴とする化粧液用携帯容器である。
【００１１】
次に、請求項２の発明は、上記請求項１に記載の化粧液用携帯容器において、上記塗布機構部に、上記筒状本体からの化粧液の通過を許容する仕切板が設けられ、上記仕切板と上記ボールの間には、化粧液を内部に含浸させて保持可能な液体保持体と、上記ボールを外側に押圧するバネが設けられている構成を特徴とするものである。
【００１２】
更に、請求項３の発明は、上記請求項２に記載の化粧液用携帯容器において、上記塗布機構部は、上記筒状本体と接続され筒状本体と略同径の大径部と、上記ボールより若干大きな径で先端開口部からボールの一部表面を露出させた小径部とが設けられ、これら塗布機構部を覆う着脱自在のキャップを有し、上記小径部には上記バネと上記液体保持体が収納され、上記キャップには、内部に小径部を覆う一方開放の筒状体を有しており、キャップによる閉鎖時に、小径部と筒状体とに設けられた係合部により係合固定される構成を特徴とするものである。
【発明の効果】
【００１３】
以上のように、請求項１の発明によれば、噴霧式と塗布式の携帯容器を一つにまとめてあるので、両方式を時と場所によって使い分けできると共に、コンパクトで持ち運びに便利である。
【００１４】
また、噴霧式と塗布式の両方式の化粧液を同じ容器内に共用しているので、容器への化粧液の充填作業が１回で済むと共に、いずれの方式を主に使用しても容器内の化粧液を十分に使い切ることができる。
【００１５】
また、少なくとも塗布機構部が筒状本体から着脱自在とすることで、化粧液の補充や取り換えや、塗布機構部内の液体保持体の取り替えが容易にできるようになる。
【００１６】
次に、請求項２の発明によれば、上記請求項１の発明の効果に加えて、塗布機構部では仕切板よりボール側にのみ液体保持体を有しているので、仕切板より筒状本体側にある殆どの化粧液は筒状本体内にそのまま液状に収納されており、噴霧用の化粧液が塗布用の液体保持体に吸収されていて噴霧できないということを防ぐことができる。
【００１７】
また、塗布機構部では液体保持体によって化粧液を含浸させていると共にボールをバネにより外側に押圧しているので、塗布機構部のボールが露出する開口から、化粧液が漏れ出すことを防ぐことができる。
【００１８】
次に、請求項３の発明によれば、上記請求項１又は２の発明の効果に加えて、ボールより若干大きな径で先端開口部からボールの一部表面を露出させた小径部を設けることで、化粧液はバネと液体保持体が収納された細い小径部を通じてボールに達しており、より化粧液の漏れを少なくすることができる。
【００１９】
また、塗布機構部を覆う着脱自在のキャップには、小径部を覆う一方開放の筒状体を有し、閉鎖時に小径部と筒状体とに設けられた係合部により係合固定されるため、不用意にキャップが外れたりせず、更に、万が一ボール部分から化粧液が液漏れしても、キャップの筒状体の内部に化粧液が留まり、周囲を汚すおそれがない。
【図面の簡単な説明】
【００２０】
【図１】この発明の化粧液用携帯容器の主要部を示す斜視図である。
【図２】この発明の化粧液用携帯容器の塗布機構部の構成部品を示す正面図である。
【図３】塗布機構部を構成する部品の仕切板を示すもので、（Ａ）は上方から見た斜視図、（Ｂ）は下方から見た斜視図である。
【図４】上記塗布機構部を示すもので、（Ａ）は正面図、（Ｂ）は正面断面図である。
【図５】この発明の化粧液用携帯容器の組立構造を示す正面図である。
【図６】この発明の化粧液用携帯容器の組立構造を示す一部切欠正面図である。
【図７】この発明の化粧液用携帯容器を示す正面図である。
【発明を実施するための形態】
【００２１】
以下、この発明の化粧液用携帯容器の実施形態を添付図面に基づいて説明する。
図１は、この発明の化粧品液携帯容器を示す斜視図であり、円筒状の筒状本体１０の一方端に噴霧機構部２０を有し、同他方端に塗布機構部３０が接続されている。
【００２２】
筒状本体１０は内部に化粧水や香水等の化粧液を収納するようになっており、また、透明な樹脂製又はガラス製から構成されて中身が透けて見えることで、化粧液の残量を一目で確認できるようになっている。
【００２３】
噴霧機構部２０は、ガスボンベ等を用いない周知の簡易的スプレー構造のものであり、詳細な説明を省略するが、筒状本体１０と同径となる基部２１に対して、長さ方向外側から内側に進退自在となる小径の柱状の押圧部２２を基部２１側に押圧することで、まず１度目の押圧から戻る際に発生負圧によりチューブ２４を介して筒状本体１０から化粧液をスポイトの作用により吸い上げ、更に、２度目の押圧により押圧部２２の側面にあるスプレー孔２３から収納液体が噴霧されるようになっている。
【００２４】
塗布機構部３０は、外側のケース３１が、先端の小径部３１ａ、筒状本体１０と同径となる大径部３１ｃ、及び小径部３１ａと大径部３１ｃとの間のテーパー部３１ｂとからなり、小径部３１ａの先端部からは肌に直接当てる全方向自由回動のボール３２が露出している。
【００２５】
塗布機構部３０の構成部品は図２の分解図で示すとおりであり、上記構成のケース３１と、ケース３１の内部に収納するボール３２と、ボール３２を外側に押圧するバネ３４と、バネ３４の内部で化粧液を保持するフェルトやスポンジ等の多孔質体からなる液体保持体３５と、ボール３２の反対側端にてバネ３４を係合して保持する仕切板３６を有している。
【００２６】
仕切板３６は、図３（Ａ）（Ｂ）の斜視図で示すとおりのもので、前記大径部３１ｃの内側と略同径となる円板の中央部に円筒部３６ａを突設しており、この円筒部３６ａの外側にはバネ３４の内側を嵌合して接合され、円筒部３６ａの内側には液体保持体３５が収納されるようになっている。
【００２７】
また、仕切板３６における円筒部３６ａの反対側には、突出部３６ｂが突設されており、この突出部３６ｂは、仕切板３６の基部にある円筒部３６ａと通じる開口部の周囲に４つの柱３６ｃを立設し、隣り合う柱３６ｃの先端を繋ぐリング部３６ｄと、対向する柱３６ｃの先端を繋ぐ十字部３６ｅとからなり、この突出部３６ｂ内に円筒部３６ａを通じて液体保持体３５が突出し、この突出部３６ｂを通じて、筒状本体１０内の化粧液が液体保持体３５に充分に接触できるようになる。
【００２８】
なお、液体保持体３５は、突出部３６ｂを構成する柱３６ｃ、リング部３６ｄ、十字部３６ｅによって筒状本体１０側に抜け落ちないようになっているが、突出部３６ｂの構造は、図示のものに限られることはなく、種々の構造を採用でき、要するに液体保持体３５の抜け止めと共に筒状本体１０側からの化粧液の液体保持部３５への含浸度合い等を考慮して形状等を調整して設計すればよい。例えば、突出部３６ｂに小孔を１つ又は複数設けるようにしてもよく、その場合も化粧液の液体保持部３５への含浸度合い等を考慮して適宜孔の数や大きさを決めればよい。
【００２９】
前記ボール３２はバネ３４の内径より若干大きな直径をしており、ボール３２はバネ３４の内部に入り込まず、バネ３４による押圧を受けられるようになっている。
【００３０】
また、小径部３１ａの内径は、ボール３２が長さ方向に動ける程度にボール３２より若干大きくなっており、一方、小径部３１ａの先端開口部３３はボール３２の直径よりも若干小さくなっており、ボール３２が先端開口部３３から外には出ず、バネ３４に押圧されてこの先端開口部３３に留まるようになっている。
【００３１】
塗布機構部３０の構造としては、図４（Ａ）の正面図と（Ｂ）の正面断面図で示すとおりであり、組立方法としては、まず大径部３１ａ側からボール３２を入れ、続けて仕切板３６の円筒部３６ａを通じて円筒部３６ａと突出部３６ｂの内側に液体保持体３５を収納し、円筒部３６ａの外側にバネ３４の内側端を嵌め込み、この組立体をバネ３４を先頭に小径部３１ａの内側に入れ、大径部３１ｃ内側におけるテーパー部３１ｂとの境界付近に設けられた係止片３７の部分に当接することで仕切板３６を大径部３１ｃとテーパー部３１ｂの境界付近に達し、筒状本体１０の後述の外ネジ部１２の先端と前記係止片３７とでこの仕切板３６の周縁部を挟み込むことで仕切板３６は固定され、この状態でバネ３４がボール３２を押圧している。
【００３２】
塗布機構部３０を用いて化粧液を肌へ直接塗布を行う際は、表面に露出したボール３２を肌に押し当てることでボール３２はバネ３４の力に抗して先端開口部３３より若干奥側に引っ込み、更に肌の上を転がすことでボール３２は回転し、小径部３１ａの内部でボール表面は化粧液を含浸させた液体保持体３５に接触しながら回転しており、ボール３２を介して肌に化粧液が塗布されることになる。
【００３３】
なお、液体保持体３５は、図中ではバネ３４の内側に収納したが、この部位のみに限られず、テーパー部３１ｂの内側にも収納でき、要するにケース３１内における仕切板３６より末端側に液体保持体３５を充填しておくようにしてもよい。
【００３４】
ケース３１における小径部３１ａの外周には、小径部３１ａの外径の円周方向に連続して突出する突条３８が設けられており、後述のキャップ５０を係止する作用を有する。また、大径部３１ｃの内径側には、前記筒状本体１０と着脱自在に接合させるための内ネジ３９が設けられている。
【００３５】
これらケース３１における小径部３１ａ、テーパー部３１ｂ、大径部３１ｃ及び突条３８は合成樹脂の一体成形で一度に成形することができる。
【００３６】
次にこの発明の化粧品用携帯容器を完成するには、図５に示すように、前記筒状本体１０の両端部にある外ネジ部１１、１２を利用して、噴霧機構部２０と塗布機構部３０を取り付ける。
【００３７】
噴霧機構部２０の筒状本体１０への取り付けは、筒状本体１０の外ネジ部１１側から、チューブ２４を先頭に内部に入れていき、基部２１の内壁に設けられている内ネジ（図示せず）を外ネジ部１１に螺合して取り付ける。
【００３８】
塗布機構部３０の筒状本体１０への取り付けは、筒状本体１０の外ネジ部１２に対し、前記図４（Ｂ）で示した内ネジ３９を螺合して取り付ける。すると、ケース３１の内部で外ネジ部１２が内ネジ３９に螺合するに従い仕切板３６を押し込んでいき、最終的に仕切板３６の周縁部が係止片３７と外ネジ部１２の先端に挟まれて固定されることになる。
【００３９】
上記のように組み立てると、図６に示す構成となり、更に携帯する際に不用意に噴霧機構部２０の押圧部２２を押し込んでしまったり、塗布機構部３０のボール３２に他の物品が触れたりしないように、両機構部にキャップ４０、５０を被せる。
【００４０】
噴霧機構部２０にはキャップ４０を被せ、図示しないがキャップ４０の内壁が基部２１に外嵌合する等の周知の手段により押圧部２２を保護する。なお、図中のキャップの別の例（キャップ４０′）としてクリップ４１を設け、ポケット等に係合させて持ち運びできるようにしてもよい。
【００４１】
一方、塗布機構部３０にはキャップ５０を被せる。キャップ５０には内側に塗布機構部３０の小径部３１ａを覆う大きさの筒状体５１が設けられており、筒状体５１の内壁には、小径部３１ａが嵌まり込んだ際、小径部３１ａに設けられた突条３８が軽く係合するような溝条５２が設けられている。
【００４２】
上記のように構成した本発明の化粧品用携帯容器は、図７に示すようなものであり、携行しようとする化粧液を、まず噴霧機構部２０か塗布機構部３０のいずれかを、筒状本体１０からネジの弛み方向に回転させて取り外し、筒状本体１０の開口部を上にして化粧液を導入し、その後噴霧機構部２０又は塗布機構部３０を筒状本体１０のネジ部１１又は１１２に螺合して開口部を閉鎖する。
【００４３】
この状態で携帯して持ち歩きを行い、例えば、香水等の化粧液を噴霧により使用したい場合は、キャップ４０を取り外し、噴霧機構部２０を上側にして押圧部２２を押圧すれば、スプレー孔２３から化粧液が噴霧される。
【００４４】
一方、化粧液を直接肌に塗布する場合は、キャップ５０を取り外し、塗布機構部３０を下向きにして、ボール３２を直接肌に接触させながら転がすことで、肌に化粧液が塗布される。
【００４５】
なお、上記したいずれの使用の際も、塗布機構部３０が下側になるので、その際に筒状本体１０内に収納された化粧液は重力により塗布機構部３０内の仕切板３６を通過して液体保持体３５に補充されることになる。
【００４６】
一方、仕切板３６より筒状本体１０側には、液体保持体３５が存在せず化粧液は液状のまま存在し、化粧液が図７のチューブ２４下端に達するまで化粧液を噴霧用に使用することができる。
【００４７】
また、噴霧使用時やその他の際に下向きに露出しているボール３２は、バネ３４により小径部３１ａの先端開口部３３に強く押し付けられているので、先端開口部３３からの化粧液漏れを防ぐことができる。
【００４８】
また、バッグ等に収納している最中に、先端開口部３３から化粧液が漏れ出しても、キャップ５０の筒状体５１内に留まるので、知らぬ間にバッグ等の内部を汚したりすることも防ぐことができる。
【００４９】
筒状本体１０内部の化粧液を使い切った場合、噴霧機構部２０又は塗布機構部３０側を筒状本体１０からの螺合を解いて取り外し、筒状本体１０の（外ネジ部１２側の）開口部から化粧液を補充する。
【００５０】
なお、この実施形態の場合、噴霧機構部２０も塗布機構部３０も両方ネジ止めにより着脱自在であるが、少なくとも塗布機構部３０側を着脱自在としておけば、例えば、使用する化粧液を別のものに取り換える際、一緒に塗布機構部３０内の液体保持体３５も新しいものに取り換えることができ便利である。
【００５１】
その手順としては、まず、塗布機構部３０の内ネジ３９と筒状本体１０の外ネジ部１２の螺合を解き、塗布機構部３０を取り外すと、外ネジ部１２の先端によって係止片３７側に押し込まれて固定されていた仕切板３６がフリーになり、更に、ケース３１の（内ネジ３９側の）開口部から仕切板３６の突出部３６ｂの例えば十字部３６ｅを適宜手段・治具にて引っ掛けて引っ張ることで、仕切板３６はバネ３４、液体保持体３５と共にケース３１から取り出すことができ、液体保持体３５を新しいものに交換後、再度仕切板３６をケース３１に嵌め込んでから筒状本体１０に螺合すればよい。
【００５２】
この発明の構成は、以上の実施形態で説明した通りであるが、この発明は実施形態のものに限定されるものではなく、この発明の目的の範囲内で適宜設計変更して実施できることは言うまでもない。
【符号の説明】
【００５３】
１０  筒状本体
１１  外ネジ部
１２  外ネジ部
２０  噴霧機構部
２１  基部
２２  押圧部
２３  スプレー孔
２４  チューブ
３０  塗布機構部
３１  ケース
３１ａ  小径部
３１ｂ  大径部
３１ｃ  テーパー部
３２  ボール
３３  先端開口部
３４  バネ
３５  液体保持体
３６  仕切板
３６ａ  円筒部
３６ｂ  突出部
３６ｃ  柱
３６ｄ  リング部
３６ｅ  十字部
３７  係止片
３８  突条
３９  内ネジ
４０  第１キャップ
４１  クリップ
５０  第２キャップ
５１  筒状体
５２  溝条
【図１】
2019024804.tif 000003
【図２】
2019024804.tif 000004
【図３】
2019024804.tif 000005
【図４】
2019024804.tif 000006
【図５】
2019024804.tif 000007
【図６】
2019024804.tif 000008
【図７】
2019024804.tif 000009